(57)【要約】【課題】外部からの視認性が高く、部材管理が容易な表示部を備えた筆記具を提供する。【解決手段】筆記具１は、インク収容部に収容されたインクを筆先から塗布する筆記具であって、インク収容部以外の外部から視認可能な位置に表示部８ｃ、２４ｃを備え、表示部８ｃ、２４ｃには溝部８ｄ１が形成されており、表示部８ｃ、２４ｃは溝部８ｄ１にインクが毛細管現象により引き込まれて保持されることにより形成されている。【選択図】図７
2019119151.tif 000002
【特許請求の範囲】
【請求項１】
インク収容部に収容されたインクを筆先から塗布する筆記具であって、
前記インク収容部以外の外部から視認可能な位置に表示部を備え、
前記表示部には溝部が形成されており、前記表示部は当該溝部にインクが毛細管現象により引き込まれて保持されることにより形成されている、ことを特徴とする筆記具。
【請求項２】
前記表示部の溝部に、前記インク収容部に収容されたインクと同色のインクが保持されている、請求項１に記載の筆記具。
【請求項３】
前記筆記具は、筆先の出没を操作する透明なノック部材と、前記ノック部材に後端が包囲され、前記インク収容部を進退させる回転子とを備え、
前記溝部は、前記回転子の後端に形成されている、請求項１又は２に記載の筆記具。
【請求項４】
前記筆記具は、筆先の出没を操作する透明なノック部材を備え、
前記溝部は、前記ノック部材の全周にわたって円筒状に形成されている、請求項１又は２に記載の筆記具。
【請求項５】
前記筆記具は、筆先の出没を操作する透明な板状のノック部材を備え、
前記溝部は前記ノック部材に板面を横切り、軸方向に延びるように形成されている、請求項１又は２に記載の筆記具。
【請求項６】
外部から視認可能な表示部を備え、インク収容部に収容されたインクを筆先から塗布する筆記具の前記表示部の製造方法であって、
インク収容部以外の外部から視認可能な位置に溝部を形成するステップと、
前記表示部の溝部にインクを滴下するステップと、
前記滴下されたインクが前記溝部に毛細管現象により引き込まれて保持されるステップと、を備えることを特徴とする筆記具の表示部の製造方法。
【発明の詳細な説明】
【技術分野】
【０００１】
本発明は、表示部を備えた筆記具、及び、筆記具の表示部の製造方法に関する。
【背景技術】
【０００２】
油性又は水性のインクを用いたボールペンは、インク収容部に収容されたインクをペン先から紙面に転写することにより、筆記することができる。近年、このようなボールペンのインクの多色化が進んでいる。
また、一般的に、ボールペンには、インク収容部に収容されたインクの色を表示するための表示部が形成されている。このような表示部を予め成形時に着色又は成形部材に印刷、転写して形成しようとすると、インクの色数に応じて多数の表示部を印刷した成形部材を作成しなければならず、在庫管理や、組み立て時の部品の切替等に非常に手間がかかる。これに対して、例えば、特許文献１には、ボールペンリフィルのボールを保持するためのボールペンチップの外面に溝を形成したボールペンリフィルが開示されている。特許文献１に記載された発明によれば、ボールペンリフィル内にインクを収容すると、この溝内にインクが入り込み、インクの色を表示する表示部として機能する。
【先行技術文献】
【特許文献】
【０００３】
【特許文献１】特開２０１０−１００００８号公報
【発明の概要】
【発明が解決しようとする課題】
【０００４】
しかしながら、特許文献１に記載された発明では、ボールを保持するためのボールペンチップの外面に表示部を形成しているため、インク収容筒や、ボールペンリフィルを収容する筒軸に包囲されてしまうため、表示部の視認性が低い。
【０００５】
本発明は、上記の問題に鑑みなされたものであり、外部からの視認性が高く、部材管理が容易な表示部を備えた筆記具を提供することを目的とする。
【課題を解決するための手段】
【０００６】
本発明の筆記具は、インク収容部に収容されたインクを筆先から塗布する筆記具であって、インク収容部以外の外部から視認可能な位置に表示部を備え、表示部には溝部が形成されており、表示部は溝部にインクが毛細管現象により引き込まれて保持されることにより形成されている、ことを特徴とする。
【０００７】
上記構成の本発明によれば、表示部がインク収容部以外の外部から視認可能な位置に設けられているため、外部からの視認性が高い。また、表示部は溝部にインクが毛細管現象により引き込まれて保持されることにより形成されているため、印刷を行うことなく表示部を形成することができ、組み立て時に表示部を形成することができる。このため、在庫管理や、組み立て時の部品切替等を容易に行うことができる。
【０００８】
本発明において、好ましくは、表示部の溝部に、インク収容部に収容されたインクと同色のインクが保持されている。
ボールペンにはインクの色を表示する表示部が設けられる。これに対して、印刷により表示部を形成する場合には、予め多色の表示部を印刷した部材を準備する必要があり、在庫管理に手間がかかる。これに対して、上記構成の本発明によれば、組み立て時にインクを溝に滴下して表示部を製造することができ、これにより、インクの色が多様であっても、在庫を減らすことができる。
【０００９】
また、好ましくは、表示部を構成する部材は透明又は半透明とした視認性を有するものである。
上記構成の本発明によれば、表示部を幅広い角度から視認することができ、表示部の視認性が向上する。
【００１０】
また、好ましくは、筆記具は、インク収容部を収容する軸筒と、軸筒に沿って伸びるクリップ部材と、を備え、表示部はクリップ部材に形成されており、溝部はクリップ部材の内側の面に形成されている。
上記構成の本発明によれば、クリップの内面に形成した溝部を外部から視認することができる。また、クリップに表示部が形成されているため、非常に視認性が高い。
【００１１】
本発明において、好ましくは、筆記具は、筆先の出没を操作する透明なノック部材と、ノック部材に後端が包囲され、インク収容部を進退させる回転子とを備え、溝部は、回転子の後端に形成されている。
上記構成の本発明によれば、ノック部材を通して回転子の後端の溝部を視認することができ、広い角度から表示部を視認することができる。
【００１２】
本発明において、好ましくは、筆記具は、筆先の出没を操作する透明なノック部材を備え、溝部は、ノック部材の全周にわたって円筒状に形成されている。
上記構成の本発明によれば、ノック部材の全周にわたり外部から視認可能な表示部を形成することができる。
【００１３】
本発明において、好ましくは、筆記具は、筆先の出没を操作する透明な板状のノック部材を備え、溝部はノック部材に板面を横切り、軸方向に延びるように形成されている。
上記構成の本発明によれば、ノック部材の板面の側方から視認可能な表示部を形成することができる。
【００１４】
本発明の筆記具の表示部の製造方法は、外部から視認可能な表示部を備え、インク収容部に収容されたインクを筆先から塗布する筆記具の表示部の製造方法であって、インク収容部以外の外部から視認可能な位置に溝部を形成するステップと、表示部の溝部にインクを滴下するステップと、滴下されたインクが溝部に毛細管現象により引き込まれて保持されるステップと、を備えることを特徴とする。
【００１５】
上記構成の本発明によれば、表示部がインク収容部以外の外部から視認可能な位置に設けられているため、外部からの視認性が高い。また、表示部は溝部にインクが毛細管現象により引き込まれて保持されることにより形成されているため、印刷を行うことなく表示部を形成することができ、組み立て時に表示部を形成することができる。このため、在庫管理や、組み立て時の部品切替等を容易に行うことができる。
【発明の効果】
【００１６】
本発明によれば、外部からの視認性が高く、部材管理が容易な表示部を備えた筆記具を提供することができる。
【図面の簡単な説明】
【００１７】
【図１】本発明の第１実施形態による筆記具を示す軸方向断面図である。
【図２】図１に示すノック式筆記具の出没機構を示し、（ａ）は斜視図、（ｂ）は側面図、（ｃ）は背面図、（ｄ）は軸方向に沿った断面図である。
【図３】図１に示すノック式筆記具の内筒を示し、（ａ）は斜視図、（ｂ）は上面図、（ｃ）は側面図、（ｄ）は軸方向に沿った断面図である。
【図４】図１に示すノック式筆記具の回転子を示し、（ａ）は斜視図、（ｂ）は正面図、（ｃ）は上面図、（ｄ）は（ｂ）におけるｄ−ｄ断面図である。
【図５】図１に示すノック式筆記具のノック部材を示し、（ａ）は斜視図、（ｂ）は正面図、（ｃ）は軸方向に沿った断面図である。
【図６】図１に示すノック式筆記具のクリップ部材を示し、（ａ）は半径方向外方から見た斜視図、（ｂ）は半径方向内方から見た斜視図、（ｃ）は半径方向内方から見た側面図である。
【図７】図１に示すノック式筆記具の後端部を示す斜視図である。
【図８】本発明の第２実施形態による筆記具のノック部材を示し、（ａ）は斜視図、（ｂ）は軸方向断面図である。
【図９】本発明の第３実施形態による筆記具の後端部を示す斜視図である。
【図１０】図９に示す筆記具のノック部材を示す正面図である。
【発明を実施するための形態】
【００１８】
以下、本発明の第１実施形態による筆記具を図面を参照しながら詳細に説明する。なお、以下の説明では、リフィルの筆先が出没する側を先端側又は前方といい、出没機構のノック部が延出する側を後端側又は後方という。
図１は、本発明の第１実施形態による筆記具を示す軸方向断面図である。
図１に示すように、本実施形態のノック式筆記具１は、円筒状の軸筒２と、軸筒２内に収容されたリフィル部材４と、軸筒２の後端部に設けられた出没機構６と、出没機構６に接続されたクリップ部材８と、を備える。軸筒２と、リフィル部材４と、出没機構６と、により筆記具本体が構成される。
【００１９】
軸筒２は先端部が先細り状である円筒形状に形成されている。軸筒２は先端部が先細り状である円筒形状に形成されている。軸筒２の先端部には先端開口２ａが形成されており、後端部には後端開口２ｂが形成されている。軸筒２の後端部の内面には螺合部が形成されている。また、軸筒２の中間部には段部２ｄが形成されており、段部２ｄより後端側の軸筒２の内径は、先端側の内径よりも大きくなっている。
【００２０】
リフィル部材４は、インクが収容されたインク収容部４ａと、インク収容部４ａの先端側に接続された筆先部４ｂとを備える。インク収容部４ａには、水性又は油性のインクが収容されている。インク収容部４ａに収容されたインクは、筆先部４ｂに供給される。筆先部４ｂの先端の転写ボールを紙面に当接させることにより、インクが紙面に転写される。
【００２１】
図２は、図１に示すノック式筆記具の出没機構を示し、（ａ）は斜視図、（ｂ）は側面図、（ｃ）は背面図、（ｄ）は軸方向に沿った断面図である。なお、図２では、スプリング部材については図示を省略している。図１及び図２に示すように、出没機構６は、内筒１０と、回転子１２と、スプリング部材１４と、ノック部材１６とを備える。
【００２２】
図３は、図１に示すノック式筆記具の内筒を示し、（ａ）は斜視図、（ｂ）は上面図、（ｃ）は側面図、（ｄ）は軸方向に沿った断面図である。図３に示すように、内筒１０は、円筒状の本体部１０ａと、本体部１０ａから先端側に延びるカム部１０ｂと、本体部１０ａの後端側に接続された後端部１０ｃと、後端部１０ｃから側方に延びるクリップ保持部１０ｄとを備える。これら、本体部１０ａと、カム部１０ｂと、後端部１０ｃと、クリップ保持部１０ｄとは一体に成形されている。
【００２３】
本体部１０ａは円筒状であり、本体部１０ａの外径は軸筒２の内径と略等しくなっている。本体部１０ａの外周面には螺合部１０ｅが形成されている。また、本体部１０ａの内周面には、対向する位置に１８０度の角度間隔で、軸方向に延びる軸方向突部１０ｆが形成されている。
【００２４】
カム部１０ｂは略円筒状であり、その内径及び外径は本体部１０ａの内径及び外径と等しくなっている。カム部１０ｂには、周方向に等角度（９０度）間隔で第１の切欠部１８と、第２の切欠部２０とが交互に形成されている。第１の切欠部１８は、先端縁から軸方向後方に延びる軸方向溝部１８ａと、軸方向溝部１８ａに時計回り（図３（ｃ）の右方向）に連続して形成された案内部１８ｂとを有する。軸方向溝部１８ａは、一定の周方向幅で軸方向に延びる溝であり、第２の切欠部２０よりも後方へ延びている。案内部１８ｂは、周面で見て、時計回りに切込深さ（内筒の先端縁からの距離）が小さくなるような三角形状に形成されている。第２の切欠部２０は、周面で見て、時計回りに切込深さが小さくなるような三角形状に形成されている。第２の切欠部２０の最大切込深さは、第１の切欠部１８の軸方向溝部１８ａの切込深さよりも小さく、案内部１８ｂの最大切込深さよりも大きくなっている。第２の切欠部２０の反時計回り（図３（ｃ）の左方向）端部の位置は、隣接する第１の切欠部１８の案内部１８ｂの時計回り端部の位置と一致している。また、第２の切欠部２０の時計回り端部の位置は、隣接する第１の切欠部１８の軸方向溝部１８ａの反時計回り端部の位置と一致している。
【００２５】
後端部１０ｃは、外径が軸筒２の外径よりもわずかに小さい円筒状に形成されている。
クリップ保持部１０ｄは、後端部１０ｃから半径方向外方に延びており、軸方向に延びる開口１０ｄ１が形成されている。
【００２６】
図４は、図１に示すノック式筆記具の回転子を示し、（ａ）は斜視図、（ｂ）は正面図、（ｃ）は上面図、（ｄ）は（ｂ）におけるｄ−ｄ断面図である。図４に示すように、回転子１２は、円筒状の基部２１と、基部２１から前方に延びる４本のカム柱２８と、カム柱２８の前端に接続された保持部３０と、を有する。
基部２１は、円筒状の本体部２２と、本体部２２の後端側に接続された後端部２４と、本体部２２の先端側に接続された円環状の円環部２６と、を有する。
【００２７】
本体部２２は、円筒状に形成されており、外径が、後述するノック部材１６の前部の内径よりもわずかに小さくなっている。本体部２２の後端部には後方に向かって縮径する縮径部２２ａを有する。
【００２８】
後端部２４は、本体部２２の後端に連続する円柱部２４ａと、円柱部２４ａの後端に連続する円錐台状（截頭円錐体状）の円錐台部２４ｂと、円錐台部２４ｂの後端に連続する第１の表示部２４ｃとを有する。円柱部２４ａは、軸方向に同一な円形断面形状である。円柱部２４ａの外径は、ノック部材１６の後部３６の内径よりもわずかに小さくなっている。円錐台部２４ｂは、先端側の径が大きい円錐台形状である。円錐台部２４ｂの後端の径は、円柱部２４ａ及び第１の表示部２４ｃの径と略等しくなっている。第１の表示部２４ｃは、円錐台部２４ｂの後端から後方に延びる円柱状の部位である。第１の表示部２４ｃには軸方向に延びる複数の溝２４ｄが形成されている。これら溝２４ｄの幅及び深さは、溝２４ｄにインクが毛細管現象により吸引されるように、インクの密度や粘性を考慮して決められており、幅が０．０５ｍｍ〜２ｍｍであり、深さが０．０５ｍｍ〜２ｍｍである。各溝２４ｄには、リフィル部材４のインク収容部４ａに収容されたインクと同じインクが乾燥した状態で保持されている。
【００２９】
円環部２６は、本体部２２の前端部に接続されており、円環状に形成されている。円環部２６の外径は本体部２２の外径よりも大きく、保持部３０の外径よりも小さくなっており、カム柱２８の内径と略等しくなって。円環部２６の後方の表面には周方向に９０度間隔で、４つのカム突部２６ａが形成されている。カム突部２６ａは、周方向に中心から側方に向かって突出高さ（後方への長さ）が減るような二等辺三角形状になっている。
【００３０】
カム柱２８は、軸方向に垂直な面で円弧状の断面形状を有し、基部２１の円環部２６の径方向外周面に接続され、前方に向かって延びている。カム柱２８は、周方向に９０度間隔で取り付けられている。カム柱２８は、円環部２６に形成されたカム突部２６ａの半分の周方向幅を有する。各カム柱２８は、円環部２６のカム突部２６ａの図４（ｂ）〜（ｄ）の右半部の外面に接続されている。カム柱２８の後端面は、円環部２６のカム突部２６ａの時計回り方向の半部の後端面と面一になっている。すなわち、カム柱２８の後端面２８ａは、時計回りに後方への突出高さが低くなるような傾斜面に形成されている。
【００３１】
保持部３０は円環状に形成されている。保持部３０の内径及び外径はカム柱２８の内径及び外径と略等しくなっている。
スプリング部材１４は、らせん状の金属部材からなるばね部材である。
【００３２】
図５は、図１に示すノック式筆記具のノック部材を示し、（ａ）は斜視図、（ｂ）は正面図、（ｃ）は軸方向に沿った断面図である。
ノック部材１６は、透明又は半透明とした視認可能な樹脂により形成されている。ノック部材１６は、前部３２と、前部の後方に連続する中間部３４と、中間部３４の後方に連続する後部３６とを有する。
【００３３】
前部３２は、少なくとも前方に開口する円柱状の内部空間が形成され、一対の円弧状断面の壁面により形成されている。前部３２の外径は、内筒１０の本体部１０ａの内径よりもわずかに小さい。また、前部３２の内径は、ノック部材１６の本体部２２の外径よりもわずかに大きい。前部３２には、軸方向に延び前方に開口し、後方に所定の長さ延びる一対の軸方向溝部３２ａが、周方向に１８０度の間隔で形成されている。また、前部３２の前端部の端面には、一対の軸方向溝部３２ａの間に周方向に見て三角形状の複数の突部３２ｂが形成されている。
【００３４】
中間部３４は円環状に形成されており、内面に円環状に突出する係止部３４ｂが形成されている。係止部３４ｂの前部は、好ましくは、図５（ｃ）に示すように、後方に向かって縮径するような傾斜面が形成されていることが好ましい。後部３６は円筒状に形成されている。
【００３５】
図６は、図１に示すノック式筆記具のクリップ部材を示し、（ａ）は半径方向外方から見た斜視図、（ｂ）は半径方向内方から見た斜視図、（ｃ）は半径方向内方から見た側面図である。クリップ部材８は、透明又は半透明とした視認可能の樹脂により形成されている。図６に示すように、クリップ部材８は、接続部８ａと、接続部８ａから前方に延びる本体部８ｂとを備える。接続部８ａの断面形状は、内筒１０の開口１０ｄ１と同形状である。図２に示すように、クリップ部材８の接続部８ａが内筒１０の開口１０ｄ１に挿入されることにより、クリップ部材８は内筒１０に固定されている。
【００３６】
クリップ部材８の本体部８ｂの内面（軸筒２側の面）には、第２の表示部８ｃが設けられている。第２の表示部８ｃは、「ＨＥＬＬＯ」の文字を左右反転させた形状の溝からなる文字溝部８ｄ１と、文字溝部８ｄ１の各文字の下部を結ぶ溝からなる接続部８ｄ２と、接続部８ｄ２の端部に設けられた略円形の溜部８ｄ３とからなる。これら文字溝部８ｄ１と、接続部８ｄ２との幅及び深さは、これら溝部８ｄ１及び接続部８ｄ２にインクが毛細管現象により吸引されるように、インクの密度や粘性を考慮して決められており、幅が０．０５ｍｍ〜２ｍｍであり、深さが０．０５ｍｍ〜２ｍｍである。である。各溝部８ｄ１、８ｄ２には、リフィル部材４のインク収容部４ａに収容されたインクと同じインクが乾燥した状態で保持されている。
【００３７】
図２に示すように、ノック部材１６は、ノック部材１６の軸方向溝部３２ａ内に内筒１０の軸方向突部１０ｆが位置するように、後方から内筒１０内に挿入されている。また、回転子１２は、基部２１に形成された円錐台部２４ｂがノック部材１６の係止部３４ｂを超える位置まで、ノック部材１６内に前方から挿入されている。内筒１０のカム部１０ｂと回転子１２のカム柱２８とは軸筒２の内面に沿っており、同円上に位置している。
【００３８】
このような構成により、ノック部材１６は、内筒１０に対して回転が拘束されるとともに、内筒１０に対して軸方向に相対移動可能である。また、回転子１２はノック部材１６に対して回転可能であるとともに、ノック部材１６の係止部３４ｂが回転子１２の円錐台部２４ｂに当接する位置と、ノック部材１６の突部３２ｂが回転子１２のカム突部２６ａと当接する位置との間で、軸方向に相対移動可能になっている。
【００３９】
そして、内筒１０の本体部１０ａ及びカム部１０ｂが軸筒２の後端開口２ｂ内に収容され、軸筒２の螺合部と内筒１０の螺合部１０ｅとが螺合することにより、内筒１０が軸筒２の後端部に取り付けられている。
【００４０】
また、リフィル部材４の後端部は、回転子１２の円環状の保持部３０内に挿入され、円環部２６の前面に当接している。これにより、リフィル部材４は回転子１２により繰出及び引き戻し可能に保持されている。
【００４１】
また、スプリング部材１４は、リフィル部材４と軸筒２との間に配置されている。スプリング部材１４は収縮した状態で、軸筒２の段部２ｄと、回転子１２の保持部３０との間に挟み込まれている。これにより、回転子１２はスプリング部材１４により後方に向かって付勢されている。
【００４２】
本実施形態のノック式筆記具の出没機構は、使用者がスプリング部材１４の付勢力に抗しながらノック部材１６を押圧することにより、回転子１２が前方に移動した後、内筒１０に対して回転する。このように回転子１２が回転することにより、回転子１２のカム柱２８が内筒１０の第１の切欠部１８に収容された状態と、第２の切欠部２０に収容された状態と、を切り替えることができる。これにより、回転子１２に保持されたリフィル部材４の筆先部４ｂが軸筒２内に収容された状態と、リフィル部材４の筆先部４ｂが軸筒２の先端開口２ａから突出した状態とを切り替えることができる。
【００４３】
図７は、図１に示すノック式筆記具の後端部を示す斜視図である。図７に示すように、クリップ部材８は無色透明の樹脂で形成されているため、クリップ部材８に形成された第２の表示部８ｃは半径方向外方から視認可能である。また、ノック部材１６が透明又は半透明とした視認可能な樹脂で形成されているため、回転子１２の第１の表示部２４ｃはノック部材１６を通して視認可能である。
【００４４】
第１の表示部は以下のようにして形成することができる。
まず、回転子１２を成形する際に、第１の表示部２４ｃに相当する部分に溝２４ｄを形成しておく。次に、第１の表示部２４ｃの溝２４ｄにリフィル部材４のインク収容部４ａに収容されたインクを滴下する。滴下されたインクは、毛細管現象により溝２４ｄに引き込まれて溝２４ｄの全体に広がり、溝２４ｄ内に保持される。そして、溝２４ｄ内のインクが乾燥することにより形成することができる。
【００４５】
また、第２の表示部８ｃは以下のようにして形成することができる。
まず、クリップ部材８を成形する際に、クリップ部材８の内面に文字溝部８ｄ１と、接続部８ｄ２と、溜部８ｄ３とを形成しておく。なお、これら文字溝部８ｄ１と、接続部８ｄ２と、溜部８ｄ３とは、クリップ部材８を成形した後に切削してもよい。
【００４６】
次に、溜部８ｄ３にインクを滴下する。滴下されたインクは、毛細管現象により接続部８ｄ２に引き込まれ、接続部８ｄ２を介して文字溝部８ｄ１全体に広がり、文字溝部８ｄ１内に保持される。そして、文字溝部８ｄ１内のインクが乾燥することにより形成することができる。
【００４７】
第１実施形態によれば以下の効果が奏される。
第１実施形態によれば、第１及び第２の表示部８ｃ、２４ｃがリフィル部材４以外の外部から視認可能な位置に設けられているため、外部からの視認性が高い。また、第１及び第２の表示部８ｃ、２４ｃは溝部８ｄ１、２４ｄにインクが毛細管現象により引き込まれて保持されることにより形成されているため、印刷を行うことなく第１及び第２の表示部８ｃ、２４ｃを形成することができ、組み立て時に第１及び第２の表示部８ｃ、２４ｃを形成することができる。
【００４８】
また、第１実施形態によれば、第１及び第２の表示部８ｃ、２４ｃの溝部８ｄ１、２４ｄに、インク収容部４ａに収容されたインクと同色のインクが保持されている。
ボールペンにはインクの色を表示する表示部が設けられる。これに対して、印刷により表示部を形成する場合には、予め多色の表示部を印刷した部材を準備する必要があり、在庫管理に手間がかかる。これに対して、第１実施形態によれば、組み立て時にインクを溝部８ｄ１、２４ｄに滴下して第１及び第２の表示部８ｃ、２４ｃを製造することができ、これにより、インクの色が多様であっても、在庫を減らすことができる。
【００４９】
また、第１実施形態によれば、第１の表示部２４ｃを構成するクリップ部材８は透明である。
上記構成の本発明によれば、第１の表示部２４ｃを幅広い角度から視認することができ、表示部の視認性が向上する。
【００５０】
また、第１実施形態によれば、筆記具１は、リフィル部材４を収容する軸筒２と、軸筒２に沿って伸びるクリップ部材８と、を備え、第２の表示部８ｃはクリップ部材８に形成されており、溝部８ｄ１はクリップ部材８の内側の面に形成されている。このような構成の本実施形態によれば、クリップ部材８の内面に形成した溝部８ｄ１を外部から視認することができる。
【００５１】
また、第１実施形態では、筆記具１は、筆先の出没を操作する透明なノック部材１６と、ノック部材１６に後端が包囲され、リフィル部材４を進退させる回転子１２とを備え、第１の表示部２４ｃは、回転子１２の後端に形成されている。
これにより、ノック部材１６を通して回転子１２の後端の第１の表示部２４ｃを視認することができ、広い角度から第１の表示部２４ｃを視認することができる。
【００５２】
なお、本実施形態では、第１の表示部２４ｃを回転子１２に、第２の表示部８ｃをクリップ部材８に形成したが、本発明はこれに限られない。表示部は、リフィル部材４のインク収容部以外の外部から視認可能な位置に設ければよい。
【００５３】
以下、本発明の第２実施形態について説明する。第２実施形態では、出没機構のノック部材に表示部が形成されている。なお、出没機構の構成は第１実施形態で説明した形状に限らず、ノック部材の押圧操作によりリフィル部材の筆先を軸筒の先端開口から出没可能であればよい。
【００５４】
図８は、本発明の第２実施形態による筆記具のノック部材を示し、（ａ）は斜視図、（ｂ）は軸方向断面図である。図８において、第１実施形態と同様の構成については、同じ符号を付して詳細な説明を省略する。
図８に示すように、第２実施形態による筆記具のノック部材１１６は、無色透明な樹脂により形成されている。ノック部材１１６は、前部１３２と、前部１３２の後方に連続する後部１３６とを有する。なお、その他の出没機構の構成は、従来周知のものを採用することができる。
【００５５】
前部１３２は円筒形状に形成されている。前部１３２には、第１実施形態と同様に一対の軸方向溝部３２ａと、三角形状の複数の突部３２ｂが形成されている。
【００５６】
後部１３６には、第３の表示部１３８が形成されている。第３の表示部１３８は後部１３６の内側に形成された円筒状の溝部１３８ａを備える。この溝部１３８ａの幅及び深さは、溝部１３８ａにインクが毛細管現象により吸引されるように、インクの密度や粘性を考慮して決められており、幅が０．０５ｍｍ〜２ｍｍであり、深さが０．０５ｍｍ〜２ｍｍである。である。溝部１３８ａには、リフィル部材のインク収容部に収容されたインクと同じインク１３８ｂが乾燥した状態で保持されている。図１０（ａ）に示されるように、ノック部材１１６が無色透明な樹脂により形成さているため、第３の表示部１３８を構成する円筒状の溝部１３８ａに保持されたインク１３８ｂは外部から視認可能である。
【００５７】
第３の表示部１３８は以下のようにして形成することができる。
まず、ノック部材１１６を成形する際に、ノック部材１１６内の前部１３２に相当する位置に円筒状の溝部１３８ａを形成しておく。次に、ノック部材１１６の前部１３２が上方に位置するように配置し、溝部１３８ａにリフィル部材４のインク収容部４ａに収容されたインクを滴下する。滴下されたインクは、毛細管現象により溝部１３８ａに引き込まれて溝部１３８ａの全体に広がり、溝部１３８ａ内に保持される。そして、溝部１３８ａ内のインク１３８ｂが乾燥することにより形成することができる。
【００５８】
第２実施形態の筆記具によれば、筆先の出没を操作する透明なノック部材１１６を備え、溝部１３８ａが、ノック部材１１６の全周にわたって円筒状に形成されている。これにより、ノック部材１１６の全周にわたり外部から視認可能な第３の表示部１３８を形成することができる。
【００５９】
以下、本発明の第３実施形態について説明する。第３実施形態では、多色ボールペンの出没機構のノック部材に表示部が形成されている。図９は、本発明の第３実施形態による筆記具の後端部を示す斜視図である。また、図１０は、図９に示す筆記具のノック部材を示す正面図である。
第３実施形態の筆記具２０１は３色ボールペンであり、図９に示すように、筆記具２０１の後端部に各色に対応したノック部材２１６を備えている。各ノック部材２１６は軸筒２０２の後端部に等角度間隔で形成された溝部２０４に収容されている。ノック部材２１６を前方に向かって押圧することにより、対応する色のボールペンの筆先を軸筒２０２の先端開口から出没させることができる。
【００６０】
ノック部材２１６は無色透明の樹脂により形成されている。図１０に示すように、ノック部材２１６は平板状に形成されており、第４の表示部２３８が形成されている。表示部２３８には、後端部から軸方向に延びる部材表面に垂直な切込２３８ａが形成されている。切込２３８ａには、対応するボールペンのインク収容部に収容されたインクと同じインク２３８ｂが乾燥した状態で保持されている。ノック部材２１６が無色透明の樹脂により形成されているため、ノック部材２１６の側面から第４の表示部２３８を視認することができる。
【００６１】
第３実施形態の筆記具によれば、筆記具２０１は、筆先の出没を操作する透明な板状のノック部材２１６を備え、溝部２０４がノック部材２１６に板面を横切り、軸方向に延びるように形成されている。これにより、ノック部材２１６の板面の側方から視認可能な第４の表示部２３８を形成することができる。
【符号の説明】
【００６２】
１  ノック式筆記具
２  軸筒
２ａ  先端開口
２ｂ  後端開口
２ｄ  段部
４  リフィル部材
４ａ  インク収容部
４ｂ  筆先部
６  出没機構
８  クリップ部材
８ａ  接続部
８ｂ  本体部
８ｃ  第２の表示部
８ｄ１  溝部
８ｄ２  接続部
８ｄ３  溜部
１０  内筒
１０ａ  本体部
１０ｂ  カム部
１０ｃ  後端部
１０ｄ  クリップ保持部
１０ｄ１  開口
１０ｅ  螺合部
１０ｆ  軸方向突部
１２  回転子
１４  スプリング部材
１６  ノック部材
１８  切欠部
１８ａ  軸方向溝部
１８ｂ  案内部
２０  切欠部
２１  基部
２２  本体部
２２ａ  縮径部
２４  後端部
２４ａ  円柱部
２４ｂ  円錐台部
２４ｃ  第１の表示部
２４ｄ  溝
２６  円環部
２６ａ  カム突部
２８  カム柱
２８ａ  後端面
３０  保持部
３２  前部
３２ａ  軸方向溝部
３２ｂ  突部
３４  中間部
３４ｂ  係止部
３６  後部
１１６  ノック部材
１３２  前部
１３６  後部
１３８  表示部
１３８ａ  溝
１３８ａ  溝部
１３８ｂ  インク
２０１  筆記具
２０２  軸筒
２０４  溝部
２１６  ノック部材
２３８  表示部
２３８ａ  切込
２３８ｂ  インク
【図１】
2019119151.tif 000003
【図２】
2019119151.tif 000004
【図３】
2019119151.tif 000005
【図４】
2019119151.tif 000006
【図５】
2019119151.tif 000007
【図６】
2019119151.tif 000008
【図７】
2019119151.tif 000009
【図８】
2019119151.tif 000010
【図９】
2019119151.tif 000011
【図１０】
2019119151.tif 000012